(57)【要約】      （修正有）【課題】端末を変形して操作する表示装置を提供する。【解決手段】表示装置１は、筐体に加わる応力の有無を判定する応力判定部４０と、前記応力判定部の判定結果に基づいてコンテンツを構成する頁が重畳した状態を表す頁重畳領域を表示する表示部６０と、を備え、表示器またはその周辺部への操作を受け付ける入力部２０から、ユーザによる操作情報を取得し、前記操作情報から前記コンテンツを構成する頁のうちどの頁を表示するかを決定する頁送り動作判定部５０を備え、表示部は、頁送り動作判定部が決定した頁を表示する【選択図】図２
2015176543.tif 000002
【特許請求の範囲】
【請求項１】
筐体に加わる応力の有無を判定する応力判定部と、
前記応力判定部の判定結果に基づいてコンテンツを構成する頁が重畳した状態を表す頁重畳領域を表示する表示部と、
を備えることを特徴とする表示装置。
【請求項２】
表示器またはその周辺部への操作を受け付ける入力部から、ユーザによる操作情報を取得し、前記操作情報から前記コンテンツを構成する頁のうちどの頁を表示するかを決定する頁送り動作判定部を備え、
前記表示部は、前記頁送り動作判定部が決定した頁を表示する
ことを特徴とする請求項１に記載の表示装置。
【請求項３】
前記表示部は、前記応力の方向によって、前記頁重畳領域を異なる位置に表示する
ことを特徴とする請求項１又は請求項２に記載の表示装置。
【請求項４】
前記表示部は、表示すべき頁の量を表すラインを、当該表示すべき頁の量に応じて前記頁重畳領域に表示する
ことを特徴とする請求項１から請求項３の何れか１項に記載の表示装置。
【請求項５】
前記表示部は、表示すべき頁の量に応じて頁重畳領域の幅を変更して表示する
ことを特徴とする請求項１から請求項４の何れか１項に記載の表示装置。
【請求項６】
前記表示部が表示した頁重畳領域を非表示にする所定の解除条件を判定する解除条件判定部
をさらに備えることを特徴とする請求項１から請求項５の何れか１項に記載の表示装置。
【請求項７】
前記解除条件は、前記応力判定部が、表示切替の契機となった応力の方向と逆方向の応力が加わったと判定することである。
ことを特徴とする請求項６に記載の表示装置。
【請求項８】
前記解除条件は、前記応力判定部が、筐体に応力がかかった状態が解除されたと判定してから所定時間が経過することである
ことを特徴とする請求項６または請求項７に記載の表示装置。
【請求項９】
前記解除条件は、前記応力判定部が筐体に応力がかかった状態が解除されたと判定した後に前記表示部が、表示する頁を切り替えてから所定時間が経過することである
ことを特徴とする請求項６から請求項８の何れか１項に記載の表示装置。
【請求項１０】
前記応力判定部が、筐体に応力がかかった状態が所定の時間以上継続していると判定すると、
前記頁送り動作判定部は、前記筐体に応力がかかった状態が継続している時間に応じてどの頁を表示するかを決定する
ことを特徴とする請求項２から請求項５の何れか１項に記載の表示装置。
【請求項１１】
前記応力判定部は、筐体の曲がりの有無を判定する
ことを特徴とする請求項１から請求項１０の何れか１項に記載の表示装置。
【請求項１２】
前記筐体に加わる応力を検出する応力検出部を備え、
前記応力検出部は、前記筐体の背面側への応力を検出する
ことを特徴とする請求項１から請求項１１の何れか１項に記載の表示装置。
【請求項１３】
前記応力検出部は、前記筐体の表示器を備える面の一部が凸又は凹となる変形のうち少なくとも一方を検出する
ことを特徴とする請求項１２に記載の表示装置。
【請求項１４】
筐体に加わる応力の有無を判定し、
前記判定結果に基づいてコンテンツを構成する頁が重畳した状態を表す頁重畳領域を表示する
ことを特徴とする表示装置の制御方法。
【請求項１５】
表示装置のコンピュータを、
筐体に加わる応力の有無を判定する手段、
前記判定結果に基づいてコンテンツを構成する頁が重畳した状態を表す頁重畳領域を表示する手段
として機能させるためのプログラム。
【発明の詳細な説明】
【技術分野】
【０００１】
本発明は、表示装置、制御方法及びプログラムに関する。
【背景技術】
【０００２】
スマートフォンやタブレット端末では、表示画面にタッチパネルを設け、ユーザが表示画面に触れて操作するユーザインタフェースとなっていることが多い。また、一般の電子機器ではボタンやキーを押下して操作するインタフェースとなっていることが多い。このようなユーザインタフェースで書籍などを読む場合、例えばタブレット端末ではフリック操作によって頁めくりを行い、一般の電子機器では、頁めくり操作用のボタンを押下することによって頁めくりを行うことが一般的である。
また、筐体を変形させて操作を行う表示装置が、特許文献１に開示されている。特許文献１の技術によると、電子ブックのコンテンツを表示画面に表示させ、筐体を曲げた状態で表示画面に接触した指をスライドさせると頁めくりを行うことが可能である。
【先行技術文献】
【特許文献】
【０００３】
【特許文献１】特開２０１２−１４２００１号公報
【発明の概要】
【発明が解決しようとする課題】
【０００４】
しかし、上述のタブレット端末や一般の電子機器における頁めくり操作は、紙媒体の書籍における操作と異なり、ユーザは違和感を覚えることもある。また、特許文献１に記載の方法は、紙媒体での操作を意識した方法であるが、より利便性を高め、紙媒体書籍の操作性により近づけたものが求められていた。
【０００５】
そこでこの発明は、上述した解題を解決する表示装置、制御方法及びプログラムを提供することを目的としている。
【課題を解決するための手段】
【０００６】
本発明は、筐体に加わる応力の有無を判定する応力判定部と、前記応力判定部の判定結果に基づいてコンテンツを構成する頁が重畳した状態を表す頁重畳領域を表示する表示部と、を備えることを特徴とする表示装置である。
【０００７】
また本発明は、筐体に加わる応力の有無を判定し、前記判定結果に基づいてコンテンツを構成する頁が重畳した状態を表す頁重畳領域を表示することを特徴とする表示装置の制御方法である。
【０００８】
また本発明は、表示装置のコンピュータを、筐体に加わる応力の有無を判定する手段、前記判定結果に基づいてコンテンツを構成する頁が重畳した状態を表す頁重畳領域を表示する手段として機能させるためのプログラムである。
【発明の効果】
【０００９】
本発明によれば、表示装置の表示画面への操作やボタンによる操作に依らず電子コンテンツの表示を制御することができるという効果が得られる。
【図面の簡単な説明】
【００１０】
【図１】本発明の第一の実施形態による表示装置の最小構成を示すブロック図である。
【図２】本発明の第一の実施形態による表示装置の構成の一例を示すブロック図である。
【図３】本発明の第一の実施形態による表示装置の一例を示す図である。
【図４】本発明の第一の実施形態による表示装置の動作の一例を示す第一の図である。
【図５】本発明の第一の実施形態による表示装置の動作の一例を示す第二の図である。
【図６】本発明の第一の実施形態による表示装置の動作の一例を示す第三の図である。
【図７】本発明の第一の実施形態による表示装置の処理フローの一例を示す図である。
【図８】本発明の第二の実施形態による表示装置の構成の一例を示すブロック図である。
【図９】本発明の第二の実施形態による表示装置の動作の一例を示す図である。
【図１０】本発明の第二の実施形態による表示装置の処理フローの一例を示す図である。
【図１１】本発明の第三の実施形態による表示装置の処理フローの一例を示す図である。
【発明を実施するための形態】
【００１１】
＜第一の実施形態＞
以下、本発明の一実施形態による表示装置を図１〜図７を参照して説明する。
図１は、第一の実施形態による表示装置の最小構成を示すブロック図である。
この図において、符号１は表示装置を表している。図１に示す通り、表示装置１は、応力判定部４０と、表示部６０とを少なくとも備えている。本実施形態は、表示装置１が電子書籍などの文書コンテンツなどを表示している場面における、ユーザの表示装置１への操作と文書コンテンツの表示態様とに関する。
【００１２】
応力判定部４０は、表示装置１の筐体に加わる応力の有無を判定する。例えば、表示装置１に備えられたセンサである後述する応力検出部２１が検出した変位量、加速度、圧力、荷重などの物理量が所定の値以上であれば、応力判定部４０は、表示装置１の筐体に加わる応力が有ると判定する。また、応力判定部４０は、応力検出部２１が備えられた位置と応力検出部２１から取得した値に基づいて表示装置１に加わる応力の方向を認識する。例えば、ユーザが、表示装置１の表示画面と向かい合って筐体の左右を両手で把持し、表示装置１の垂直方向の軸に沿って表示画面が手前に突き出るように力を加える。その場合、応力判定部４０は、表示装置１と向かいあったときに筐体の上部及び下部の中央付近に備えられた応力検出部２１が検出した値を取得して、ユーザに近づく方向に応力が加わったと判定する。なお、表示装置１の筐体がフレキシブルな材質で構成されていて、変形が可能な場合、応力判定部４０は、応力検出部２１が検出した物理量が所定の値以上であれば、表示装置１は曲がり有りと判定する。
【００１３】
表示部６０は、応力判定部４０が行った判定結果に基づいて、表示画面に表示する画像を切り替える。例えば、応力判定部４０が、表示装置１の筐体に応力が加わったと判定すると、表示部６０は、文書コンテンツの現在表示している頁を、ユーザが読みやすいように表示器１０の全面に表示する。また、その状態から、ユーザが表示装置１の筐体に力を加え、応力判定部４０が筐体に応力が加わっていると判定すると、表示部６０は、その判定結果に基づいて文書コンテンツの表示を頁めくりを容易にするような表示態様へ切り替える。そして、その状態でユーザの頁をめくる操作を行うと、表示部６０は、頁めくり操作に応じた適切な頁に表示を切り替える。ユーザの頁をめくる操作については後述する。
【００１４】
図２は、本発明の第一の実施形態による表示装置の構成の一例を示すブロック図である。
図２に示す通り、表示装置１は、表示器１０と、入力部２０と、応力検出部２１と、制御部３０と、応力判定部４０と、頁送り動作判定部５０と、表示部６０と、記憶部７０とを備えている。
表示器１０は、表示装置１に備えられた液晶ディスプレイなどである。表示装置１は、表示器１０に画像を表示する。
入力部２０は、表示装置１に備えられたボタンや表示器１０に備えられたタッチパネルなどの入力装置である。ユーザは、入力部２０を用いて表示装置１を操作し、表示器１０の表示内容を制御する。なお、タッチパネルは、表示器１０の周辺部に備えられていてもよい。
応力検出部２１は、表示装置１の筐体に加わる応力を検出するセンサである。応力を検出するセンサとは、例えば、公知の歪ゲージや圧力センサなどである。なお、表示装置１の筐体がフレキシブルで変形する場合、応力検出部２１は、筐体の曲げを検出する。
【００１５】
制御部３０は、入力部２０から入力されたユーザによる操作指示情報を取得し、文書コンテンツの表示・非表示や文書コンテンツの変更など、表示装置１の動作を制御する。
頁送り動作判定部５０は、ユーザの頁めくり操作に関する操作情報を入力部２０から取得して、頁送り動作を決定する。頁めくり操作とは、例えば、ユーザが、表示器１０またはその周辺部に備えられたタッチパネルに対して指を接触させ、そのままスライドさせる操作のことである。また、操作情報には、ユーザが指をスライドさせた始点と終点の座標情報が含まれている。頁送り動作判定部５０は、この操作情報から、ユーザが指をスライドさせた距離や方向を算出する。
記憶部７０は、ＲＯＭ、ＲＡＭなどの記憶媒体である。記憶部７０は、表示装置１が表示器１０に出力する文書コンテンツや、表示装置１の備えるＣＰＵ（Ｃｅｎｔｒａｌ  Ｐｒｏｃｅｓｓｉｎｇ  Ｕｎｉｔ）によって実行される文書コンテンツ表示アプリケーションなどの各種プログラムを記憶している。
なお、制御部３０、応力判定部４０、頁送り動作判定部５０、表示部６０は、表示装置１の備えるＣＰＵがハードディスクなどの記憶部７０からプログラムを読み出し実行することで備わる機能である。
【００１６】
図３は、本発明の第一の実施形態による表示装置の一例を示す図である。
以下、図３を用いて、本実施形態の表示装置１の説明を行う。
第一の実施形態による表示装置１の代表的な例は図３に示すようなタブレット端末装置である。
図３（ａ）は、表示装置１の正面図である。図３（ａ）が示す通り表示装置１は、表示器１０を備え、表示器１０と表示器１０の周辺部のうち少なくとも一方には、例えば静電容量方式の、タッチパネルを備えている。また、表示装置１は、符号３１Ａ〜３１Ｈが示す位置に応力検出部２１を備えている。表示装置１の筐体５、表示器１０は、可撓性のある材質で構成されており、ユーザは、表示装置１を変形させることができる。例えばユーザが、表示装置１の符号３１Ｈ、３１Ｄの位置を左右それぞれの手で把持し、表示器１０の中心が奥側へ移動するように力を加えると、表示装置１は、表示器１０の垂直方向の軸に沿って表示器１０が凹となるように変形する。そのとき、符号３１Ｂ、３１Ｆの位置に備えられた応力検出部２１は、表示装置１の曲がりを検出する。同様に、ユーザが、符号３１Ｂ、３１Ｆの位置をそれぞれの手で把持し、表示器１０の中心が奥側へ移動するように力を加えると、表示装置１は、表示器１０の水平方向の軸に沿って表示器１０が凹となるように変形する。そのとき、符号３１Ｄ、３１Ｈの位置に備えられた応力検出部２１は、表示装置１の曲がりを検出する。また、ユーザが符号３１Ｅ付近をつまんで、表示装置１の角を曲げるようにして力を加えると、符号３１Ｅの位置に備えられた応力検出部２１が、表示装置１の曲がりを検出する。
【００１７】
なお、応力検出部２１は、符号３１Ａ〜３１Ｈの全ての位置に備えられている必要はない。応力検出部２１は、例えば、符号３１Ｂ及び３１Ｆの位置、あるいは符号３１Ｄ及び３１Ｈの位置にだけ備えられていてもよい。また、応力検出部２１が備えられる位置は、これらに限定されない。他の例として例えば、表示装置１の背面に、少なくとも１つの応力検出部２１を設置し、表示装置１の背面側に掛かる圧力や荷重を検出してもよい。
また、本発明に直接関係しない表示装置１のその他の構成については記載を省略する。
【００１８】
図４は、本発明の第一の実施形態による表示装置の動作の一例を示す第一の図である。  以下、図４を用いて、本実施形態における頁めくり操作の一例について説明を行う。
図４（ａ−１）は、表示装置１の正面図である。図４（ａ−２）は、表示装置１の側面図である。
図４（ａ−１）は、表示装置１を側面から見たときの筐体の形状が、図４（ａ−２）で示すように平板状であるときの文書コンテンツの表示態様を示している。表示装置１の筐体の形状が、図４（ａ−２）の状態にあるとは、ユーザが筐体を曲げるような力を加えていない状態である。このとき応力検出部２１は、曲げを検出せず、応力判定部４０は、曲がり無しと判定する。このとき表示部６０は、図４（ａ−１）が示すように、文書コンテンツの現在表示している頁を全面に表示する。
【００１９】
図４（ｂ−１）は、表示装置１の正面図である。図４（ｂ−２）は、表示装置１の側面図である。
図４（ｂ−１）は、ユーザが表示装置１の左右を両手で把持した場合に、表示装置１を底面側から見たときの筐体の形状が、図４（ｂ−２）で示すように凹状であるときの文書コンテンツの表示態様を示している。表示装置１の筐体の形状が、図４（ｂ−２）の状態にあるとは、ユーザが筐体に力を加え表示装置１を曲げている状態である。このとき図３の符号３１Ｂ及び３１Ｆに備えられた応力検出部２１は、曲げを検出し、応力判定部４０は、曲がり有りと判定する。このとき表示部６０は、図４（ｂ−１）が示すように、実際に紙媒体の書籍の頁めくりを行うときにユーザが目にする書籍の残頁を示すような画像を表示する。以下、符号４１が示すこの画像領域を頁重畳領域と称する。頁重畳領域とは、文書コンテンツを構成する各頁をあたかも重畳したように表示する領域である。頁重畳領域の表示は、紙媒体の書籍の頁めくりを行う際に小口に現れる各頁が重畳した様子を模したものである。頁重畳領域４１の表示は、現在表示している文書コンテンツの頁めくりを容易にし、頁めくりを促す。また、頁重畳領域４１は、現在表示している文書コンテンツの残頁の分量を表している。ユーザが、頁重畳領域４１内の任意の箇所を右手の親指で触れ、指を横方向にスライドさせると、入力部２０は、その操作情報を頁送り動作判定部５０へ出力する。頁送り動作判定部５０は、スライド方向と量を判定し、判定結果を表示部６０へ出力する。表示部６０は、指のスライド方向が左から右であれば、頁を例えば先送りし、現在の頁よりも後の頁の表示に切り替える。逆に、スライド方向が右から左であれば、表示部６０は、頁を戻し、現在の頁よりも前の頁の表示に切り替える。また、指をスライドさせた始点と終点の座標情報から算出した距離が、所定の長さより短い場合、表示部６０は、１頁だけ先送り又は逆戻しした頁を表示する。
【００２０】
図５は、本発明の第一の実施形態による表示装置の動作の一例を示す第二の図である。  以下、図５を用いて、本実施形態における頁めくり操作の一例について説明を行う。
図５（ａ）は、表示装置１の正面図である。図５（ｂ）は、表示装置１の側面図である。
図５（ａ）は、ユーザが表示装置１の上下を両手で把持した場合に、表示装置１を向かって右側から見たときの筐体の形状が、図５（ｂ）で示すように凹状であるときの文書コンテンツの表示態様を示している。図３の符号３１Ｄ及び３１Ｈに備えられた応力検出部２１が水平方向を軸とする曲げを検出し、応力判定部４０が曲がり有りと判定すると、図５（ａ）が示すように、表示部６０は、表示器１０の底側に頁重畳領域４１を表示する。ユーザが、頁重畳領域４１内の任意の箇所に指を触れ、上方向に指をスライドさせると、表示部６０は、表示器１０に表示する画像を、例えば１頁前の表示に切り替える。また、ユーザが、下方向に指をスライドさせると、表示部６０は、次頁の表示に切り替える。
なお、符号３１Ｄ及び３１Ｈの位置に応力検出部２１が備えられていない場合、次のように制御してもよい。例えばユーザが、表示器１０の垂直方向を軸に表示器１０が凸となるように変形させると、３１Ｂ及び３１Ｆに備えられた応力検出部２１がその曲がりを検出し、検出した情報を応力判定部４０に出力する。応力判定部４０は、表示器１０が凸となる方向に曲げられたと判定し、曲げの方向を表示部６０に出力する。表示部６０は、表示器１０が凸となる方向に曲げられた場合、図５（ａ）のように表示器１０の底部に頁重畳領域４１を表示する。
【００２１】
また、図４、図５で例示した以外にも、例えば表示装置１の右下端に力を加え、曲げを生じさせると、符号３１Ｅに備えられた応力検出部２１がその曲りを検出し、表示部６０が図４のような態様で頁重畳領域４１を表示してもよい。
表示部６０は、筐体の曲げ方向によって、頁重畳領域４１を異なる位置に表示する。それにより、ユーザは、そのときの状況や表示する文書コンテンツに合わせて、操作しやすい位置に頁重畳領域４１を表示させることができる。
【００２２】
また、タッチパネルが表示器１０の周辺部に備えられている場合、ユーザは、頁重畳領域４１に指を触れず、表示器１０周辺の筐体部分に接触した指をスライドさせて頁めくりを行ってもよい。例えば、ユーザは、親指を手前にして両手の親指と人差し指とで挟み込むようにして表示装置１の筐体の両側を把持し、表示器１０の中心が体から離れる方向に移動するように筐体を変形させて頁重畳領域４１を表示させる。タッチパネルが表示器１０の周辺部に備えられていれば、ユーザは、親指を表示器１０に表示された頁重畳領域４１まで移動させることなく、その場で親指をスライドさせることで頁めくりを行うことができ、利便性が向上する。
【００２３】
図６は、本発明の第一の実施形態による表示装置の動作の一例を示す第三の図である。  以下、図６を用いて、本実施形態における頁めくり操作の一例について説明を行う。
図６（ａ）〜図６（ｄ）は、何れもユーザの曲げ操作により、表示部６０が頁重畳領域４１を表示した状態を示している。
図６（ａ）は、全部で１００頁の文書ドキュメントの７０頁目を表示させたときの頁重畳領域４１の表示態様の一例を示している。残頁が３０頁のため、頁重畳領域４１には、例えば３本の縦ライン（符号６１ａ〜６３ａ）が表示される。符号６１１は、頁重畳領域４１の幅の長さを示している。
図６（ｂ）は、１００頁の文書ドキュメントの５０頁目を表示させたときの頁重畳領域４１の表示態様の一例を示している。残頁が５０頁のため、頁重畳領域４１には、例えば５本の縦ライン（符号６１ｂ〜６５ｂ）が表示される。符号６１２は、頁重畳領域４１の幅の長さを示している。図６（ａ）、図６（ｂ）において、符号６１１及び符号６１２が示す頁重畳領域４１の幅は同じ長さであるとする。この例の表示態様では、頁重畳領域４１に表示されるラインの数によって残頁の量を表示する。
【００２４】
図６（ｃ）は、１００頁の文書ドキュメントの５０頁目を表示させたときの頁重畳領域４１の表示態様の他の例を示している。図６（ｂ）と同様、頁重畳領域４１には、例えば５本の縦ライン（符号６１ｃ〜６５ｃ）が表示される。図６（ｃ）において、符号６１３が示す頁重畳領域４１の幅の長さは、図６（ａ）の符号６１１が示す長さと比べて長くなっている。このように残頁の量を頁重畳領域４１の幅の長さによって表示してもよい。
本実施形態によれば、文書コンテンツの表示すべき頁数（残頁）によって異なる表示をすることが可能である。例えば、表示すべき頁数に応じて、頁重畳領域４１に表示するラインの数を変更して表示してもよいし、頁重畳領域４１の大きさを変更して表示してもよい。また、これらに加え、具体的な残頁数が文字データによって頁重畳領域４１の任意の位置に表示されてもよい。
【００２５】
このようにユーザの曲げ操作に基づいて頁重畳領域４１を残頁数量に応じた態様で表示することで、特に頁送りを行う場面でなくても、ユーザは、あと何頁あるかを視覚的に確認できる。また、これから複数の文書ドキュメントを読まなければならないような場合に、それらの文書ドキュメントの全体量を、表示装置１の曲げ操作によって表示させ比較することで、ユーザの好みや都合に応じて文書ドキュメントを選択することができる。
【００２６】
また、図６（ｄ）は、１００頁の文書ドキュメントの６０頁を表示させたときの頁重畳領域４１の表示態様の一例を示している。図６（ａ）〜図６（ｃ）は、残頁の量を表示する例であった。図６（ｄ）は、既読頁の分量を表示する例を示した図である。例えば、表示器１０が凹となるようにユーザが筐体を曲げると、図６（ａ）〜図６（ｃ）のように表示器１０における右側の領域に残頁量に応じた態様で頁重畳領域４１が表示され、表示器１０が凸となるようにユーザが筐体を曲げると、図６（ｄ）のように表示器１０における左側の領域に既読頁量に応じた態様で頁重畳領域４１が表示されてもよい。
このように、ユーザによる曲げ方向に応じて、文書コンテンツの既読、未読頁の分量を表示させることで、ユーザは、例えば、あとどれぐらいの時間で現在の文書コンテンツを読了できそうかを把握することができ、利便性が向上する。
【００２７】
図７は、本発明の第一の実施形態による表示装置の処理フローを示す図である。
図７の処理フローを用いて表示装置の頁めくり処理について説明する。
前提として、ユーザの操作によりある文書コンテンツが選択され、表示器１０にその文書コンテンツが表示されているものとする。また、ユーザがある頁を参照しながら、表示装置１を曲げる操作を行ったものとする。
まず、応力検出部２１が、筐体に加わる圧力や筐体のひずみを検出し（ステップＳ２１）、応力判定部４０へ出力する。応力判定部４０は、取得した情報に基づいて、筐体の曲がり方向や曲がり具合を判定する（ステップＳ２２）。応力判定部４０は、判定の結果を表示部６０へ出力する。応力判定部４０が曲がっていると判定した場合の判定の結果には、曲がり方向の情報が含まれている。
応力判定部４０が筐体は曲がっていないと判定した場合、そのまま本処理フローは終了する。
【００２８】
応力判定部４０が筐体は曲がっていると判定した場合、表示部６０は、文書コンテンツの現在表示している頁と共に頁重畳領域を表示器１０に表示する（ステップＳ２３）。より詳細には、まず、表示部６０は、文書コンテンツ全体の頁数と、現在表示している頁の値を記憶部７０から取得する。そして、表示部６０は、これらの情報から残頁数を計算する。そして、表示部６０は、例えば、残頁数と表示する頁重畳領域の幅の長さを対応付けて記憶するテーブルを読み込んで、残頁数に対応する幅の長さを取得する。また、表示部６０は、計算した残頁数を例えば１０で割って頁重畳領域に表示するラインの数を計算する。また、頁重畳領域を表示する位置に関しては、表示部６０が、判定結果に含まれる曲がり方向の情報に基づいて、予め定められた曲がり方向と頁重畳領域の表示位置を規定したテーブルなどを参照し、決定する。表示部６０は、これらの情報に基づいて、文書コンテンツの現在参照している頁と頁重畳領域とを組み合わせた画像を生成し表示器１０に出力する。
【００２９】
次に、頁送り動作判定部５０は、ユーザが表示器１０の頁重畳領域又は表示器１０の周辺部に指を接触させスライドさせたときの操作情報を入力部２０から取得する（ステップＳ２４）。操作情報とは例えば、指をスライドさせた動作の始点と終点の座標情報を含む。次に、頁送り動作判定部５０は、これらの座標情報からスライド方向と、スライド距離を計算する（ステップＳ２５）。
頁送り動作判定部５０は、計算したスライド方向と距離から頁送りする方向と頁数を決定する。例えば、頁重畳領域が表示器１０における右側の領域に表示される場合、スライド方向が左から右であれば、頁送りの方向を頁を先へ進める方向と決定する。また、スライド距離が所定の長さ以下であれば、頁送りの分量を１頁と決定する。あるいは、スライド距離がその所定の長さを上回れば、頁送りの分量を１０頁と決定する。これら、スライド方向及びスライド距離と、頁送りの方向及び頁数の関係を規定するテーブルは、予め記憶部７０に記録されており、頁送り動作判定部５０は、このテーブルを読み込んで具体的な頁送りの内容を決定する。また、これらスライド方向や距離と頁送り方向及び頁数の関係を設定するプログラムが存在し、ユーザがこのプログラムを用いてスライド操作と頁送りの関係を設定し、記憶部７０に記録してもよい。頁送り動作判定部５０は、頁送りの方向と頁数を決定すると、その情報を表示部６０へ出力する。
【００３０】
次に、表示部６０は、取得した情報に基づいて頁送りを行う（ステップＳ２６）。例えば、頁送り方向が「先送り」で、先送りする頁数が「１頁」の場合、表示部６０は、現在表示されている頁の次の頁のコンテンツを記憶部７０から読出し次頁の画像を生成する。そして、表示部６０は、次頁と頁重畳領域とを含む画像を表示器１０に表示する。あるいは、頁送り方向が「逆送り」で、逆送りする頁数が「１０頁」の場合、表示部６０は、現在表示されている頁の１０頁前のコンテンツを記憶部７０から読出し、その頁の画像を生成する。また、この場合、上述の例を用いると頁重畳領域に表示する残頁量に応じて表示するラインを１本増やし、また、頁重畳領域の幅の長さを１０頁分長くする必要があるので、ステップＳ２３の処理を行って頁重畳領域の画像を再生成する。そして、表示部６０は、１０頁前と新たに生成した頁重畳領域とを含む画像を表示器１０に表示する。
頁送り動作判定部５０及び表示部６０は、ユーザが指をスライドさせる度にこれらの処理を行う。
【００３１】
次に、応力判定部４０は、筐体の曲げ状態が解除されたかどうかを判定する（ステップＳ２７）。ユーザが筐体を曲げる力を加えるのやめて表示器１０が平面状となると、応力検出部２１は、ある方向への偏った圧力や荷重を検出しなくなる。すると、応力判定部４０は、筐体が曲がった状態は解除されたと判定し（ステップＳ２７＝Ｙｅｓ）、その情報を、表示部６０へ出力する。すると、表示部６０は、頁重畳領域を非表示にする（ステップＳ２８）。
一方、応力判定部４０が、曲げ状態が解除されたと判定しない場合（ステップＳ２７＝Ｎｏ）、ステップＳ２４からの処理を繰り返す。
以上で本処理フローは終了する。
【００３２】
本実施形態によれば、紙媒体の書籍の頁をめくる場合に似た動作を行うことで、そのときの紙媒体に似た表示（頁重畳領域）を行う。さらに頁重畳領域を表示した状態で指をスライドさせることで、実際の書籍と同様の感覚で頁送りを行うことができる。
なお、表示器１０の中心が体から遠ざかる方向に筐体を曲げたときに頁先送り用の頁重畳領域４１を表示する動作を例に説明を行ったが、筐体を曲げる方向と頁重畳領域４１の関係はこれに限定されない。例えば、表示器１０の中心が体に近づく方向に筐体を曲げたときに頁先送り用の頁重畳領域４１を表示してもよい。また、上記の説明で文書コンテンツを例に説明を行ったが、本実施形態の対象となるコンテンツは、書籍、各種ドキュメントなどの文書類に限らない。他に、図鑑・写真集など冊子状になったコンテンツであってもよい。これは、以下の実施形態においても同様である。
【００３３】
＜第二の実施形態＞
以下、本発明の第二の実施形態による表示装置１を図８〜図１０を参照して説明する。
図８は第二の実施形態による表示装置１の構成の一例を示す図である。
図８で示すように、本実施形態による表示装置１は、解除条件判定部８０を備えている。また、表示部６０が頁重畳領域を非表示とするタイミングが異なる。その他の構成や動作は、第一の実施形態と同様である。
【００３４】
解除条件判定部８０は、表示部６０が頁重畳領域を非表示とするタイミングを判定する。例えば、解除条件判定部８０は、ユーザが表示装置１の筐体を曲げる力を加えるのを停止し、応力判定部４０が、表示装置１を側面から見た形状が平板状になったと判断してから所定の時間が経過すると頁重畳領域を非表示にすると決定してもよい。あるいは、応力判定部４０が、頁重畳領域を表示する契機となった曲げ方向とは逆方向に筐体が曲げられたと判定すると、解除条件判定部８０は、頁重畳領域を非表示にすると決定してもよい。あるいは、解除条件判定部８０は、筐体の曲がった状態が解除された後に、ユーザが最後に頁めくり操作を行ってから所定の時間が経過すると頁重畳領域を非表示にすると決定してもよい。
【００３５】
図９は、本発明の第二の実施形態による表示装置の動作の一例を示す図である。
図９を用いて本実施形態による表示装置１の動作について説明する。
図９（ａ−１）は、表示装置１の正面図である。図９（ａ−２）は、表示装置１の側面図である。
図９（ａ−１）は、ユーザが表示装置１の左右を両手で把持した場合に、表示装置１を底面側から見たときの筐体の形状が、図９（ａ−２）で示すように凹状であるときの文書コンテンツの表示態様を示している。
まず、第一の実施形態と同様に、ユーザが表示装置１の筐体を把持し、例えば図９（ａ−２）で示すように表示器１０が凹となるように表示装置１を変形させたとする。このとき応力検出部２１は、ユーザが力を加えたことによる圧力やひずみなどを検出し、応力判定部４０は、表示装置１が曲がったと判定する。すると、表示部６０が、例えば表示器１０における右側に頁重畳領域４１を表示する。
【００３６】
図９（ｂ−１）は、表示装置１の正面図である。図９（ｂ−２）は、表示装置１の側面図である。
図９（ｂ−１）において表示器１０に表示された画像は、図９（ａ−１）において表示器１０に表示された画像と同じである。図９（ｂ−１）、図９（ｂ−２）は、図９（ａ−１）、図９（ａ−２）の状態から、ユーザが表示装置１を変形させるような力を加えることをやめて、表示装置１を側面から見たときの形状が凹状から平板状に戻ったときの表示装置１を示している。このとき、応力判定部４０は、表示装置１の曲りが解除されたと判定する。第一の実施形態であれば、表示部６０は、応力判定部４０のこの判定を検出すると頁重畳領域４１の表示を非表示にした。ところが、本実施形態では、表示装置１の曲げ状態が解除されても表示部６０は、頁重畳領域４１を表示し続ける。
本実施形態では、解除条件判定部８０が頁重畳領域表示の解除を決定するまでの間、頁重畳領域４１は表示されたままである。本実施形態によれば、ユーザは、頁重畳領域を表示しておくために、継続的に表示装置１を変形させておく必要が無い。例えば連続的に頁めくりを行いたい場面などで、筐体に力を加え続ける必要が無いので、ユーザの利便性が向上する。
【００３７】
図１０は、本発明の第二の実施形態による表示装置の処理フローの一例を示す図である。
図１０の処理フローを用いて本実施形態における表示装置の頁めくり処理について説明する。第一の実施形態と同様の処理に関しては簡潔に説明を行う。
前提条件は、図７の説明と同じである。まず、応力検出部２１が、筐体に加わる圧力や筐体のひずみを検出し（ステップＳ３１）、応力判定部４０は、応力検出部２１が検出した情報に基づいて、筐体の曲がり方向や曲がり具合を判定する（ステップＳ３２）。応力判定部４０が筐体は曲がっていないと判定した場合、そのまま本処理フローは終了する。
【００３８】
応力判定部４０が筐体は曲がっていると判定した場合、表示部６０は、文書コンテンツの現在表示している頁と共に頁重畳領域を表示器１０に表示する（ステップＳ３３）。
次に、ユーザが筐体を曲げをやめると、応力検出部２１の検出する物理量に基づいて、応力判定部４０は、筐体が曲がった状態が解除されたと判定する（ステップＳ３４）。
次に、解除条件判定部８０が、頁重畳領域表示の解除条件を判定する（ステップＳ３５）。判定の方法は、例えば、解除条件判定部８０は、応力判定部４０が、筐体の曲がった状態が解除されたと判定した時刻を記憶部７０に記録する。そして、解除条件判定部８０は、表示装置１が備えるタイマー機能により時間経過を計測し、記録した時間から所定の時間が経過すると解除条件が成立したと判定する。あるいは、解除条件判定部８０は、ステップＳ３２において応力判定部４０が判定した筐体の曲がり方向を記憶部７０に記録しておく。そして、その記録の後、初めて応力判定部４０が、記録した方向とは逆の方向への曲がったと判定した場合、解除条件判定部８０は、その判定結果を取得し、前に記録した曲がり方向と比較して解除条件が成立したと判定してもよい。あるいは、解除条件判定部８０は、応力判定部４０が、筐体の曲がった状態が解除されたと判定した後に、ユーザのスライド操作に基づいて、表示部６０が表示する頁を切り替える度にその時刻を記憶部７０に記録する。そして、解除条件判定部８０は、表示装置１が備えるタイマー機能により時間経過を計測し、最後の頁切り替え時に記録した時刻から所定の時間が経過すると解除条件が成立したと判定してもよい。
【００３９】
解除条件判定部８０が、解除条件が成立したと判定すると（ステップＳ３５＝Ｙｅｓ）、解除条件判定部８０は、解除条件の成立を表示部６０に通知する。すると、表示部６０は、頁重畳領域４１を非表示にする（ステップＳ３６）。
【００４０】
また、解除条件判定部８０が、解除条件が成立したと判定しない場合（ステップＳ３５＝Ｎｏ）、頁送り動作判定部５０は、ユーザのスライド操作を検出する（ステップＳ３７）。つまり、頁送り動作判定部５０は、入力部２０から操作情報を取得する。そして、頁送り動作判定部５０は、スライド方向と、スライド距離を計算し（ステップＳ３８）、頁送りの方向と頁数を決定する。次に、表示部６０は、取得した情報に基づいて頁送りを行う（ステップＳ３９）。解除条件判定部８０が、解除条件が成立したと判定するまでの間、ユーザのスライド操作に応じてステップＳ３７〜Ｓ３９の処理を繰り返す。以上で本処理フローは終了する。
【００４１】
本実施形態によれば、一旦、頁重畳領域を表示させた後は、解除条件が成立するまで継続的に頁重畳領域を表示する。それにより、ユーザは、一度両手で表示装置１の筐体を曲げて頁重畳領域を表示させ、その後は片手で表示装置１を把持しながら、把持した側の指をスライドさせて頁めくりを行ってコンテンツを読み進めることができる。これにより、例えば、電車の中などで片手で表示装置１を操作しなければならないような場面での利便性が向上する。
【００４２】
＜第三の実施形態＞
本実施形態による表示装置１の構成は、第一実施形態と同様である。但し、第一の実施形態では、ユーザのスライド操作に基づいて頁送り動作判定部５０が頁送りの方向や量を決定していたところ、本実施形態では、ユーザが表示装置１の筐体を曲げ状態で保持する時間の長さなどに基づいて頁送り動作の決定を行う。
【００４３】
図１１は、本発明の第三の実施形態による表示装置の処理フローの一例を示す図である。以下、本実施形態による表示装置１の動作を図１１を参照して説明する。なお、第一の実施形態と同様の処理に関しては簡潔に説明を行う。
前提条件は、図７の説明と同じである。まず、応力検出部２１が、筐体に加わる圧力や筐体のひずみを検出し（ステップＳ４１）、応力判定部４０が、筐体の曲がりを判定する（ステップＳ４２）。応力判定部４０が、筐体は曲がっていると判定した場合（ステップＳ４２＝Ｎｏ）、本処理フローはそのまま終了する。応力判定部４０が、筐体が曲がっていると判定した場合（ステップＳ４２＝Ｙｅｓ）、表示部６０は、頁重畳領域を表示器１０に表示する（ステップＳ４３）。また、応力判定部４０が、頁送り動作判定部５０に判定結果を出力する。頁送り動作判定部５０は、判定結果を取得した時刻を記憶部７０に記録する。さらに応力判定部４０は、所定時間ごとに曲がりの判定を行い、その判定結果を頁送り動作判定部５０に出力する。そして頁送り動作判定部５０は、最初に応力判定部４０からの判定結果を記録した時刻からの経過時間を計測し、その値が所定時間以上（例えば1秒）かどうかを判定する（ステップＳ４４）。
【００４４】
所定時間以上経過していないと判定した場合（ステップＳ４４＝Ｎｏ）、ステップＳ４７へ進む。所定時間以上経過したと判定した場合（ステップＳ４４＝Ｙｅｓ）、頁送り動作判定部５０は、頁重畳領域の表示位置に基づいて頁送り方向を、また、予め定められた所定時間経過後の頁送り量に基づいて頁送り量を決定し（ステップＳ４５）、その情報を表示部６０へ出力する。例えば、頁重畳領域が表示器１０内の右側であれば、頁送り動作判定部５０は、頁送り方向を「先送り」と決定し、予めなされた設定に従って所定時間経過後の頁送り量を「１頁」と決定する。また、頁送り動作判定部５０は、頁送り動作を決定した時刻を記憶部７０に記録する。次に、表示部６０は、取得した情報に基づいて頁送りを行う（ステップＳ４６）。次に、応力判定部４０は、筐体の曲がった状態が解除されたかどうかを判定する（ステップＳ４７）。解除されたと判定した場合（ステップＳ４７＝Ｙｅｓ）、表示部６０は、頁重畳領域を非表示にする（ステップＳ４８）。曲がりが解除されていないと判定した場合（ステップＳ４７＝Ｎｏ）、ステップＳ４４からの処理を繰り返す。つまり、曲げ状態の継続時間に応じて頁めくり処理を連続して行う。以上で本処理フローは終了する。
【００４５】
なお、応力判定部４０が、一定時間継続して筐体が曲がっていると判定した場合、頁送り動作判定部５０は、前回の頁送り動作決定時に記録した時刻から所定時間が経過する度に同じ分量の頁送り動作を決定してもよい。その場合、例えば、応力判定部４０が、１０秒連続して筐体が曲がっていると判定した場合、１秒ごとに１頁ずつ頁送りすることを決定する。あるいは、一定時間継続して筐体が曲がっていると判定した場合、頁送り動作判定部５０は、曲がりの継続時間に応じて頁送り量を加速して増加させてもよい。例えば、上記の例では、曲がった状態になって１秒後にまず１頁送り、更にそこから1秒経過すると０．５秒ごとに１頁送ることを決定するといった具合である。
【００４６】
また、頁送りの方向に関しては、表示装置１の右下端部を曲げると、表示部６０が頁重畳領域を表示器１０内の右側に表示し、上記の説明のとおり頁を先送りし、表示装置１の左下端部を曲げると、表示部６０が頁重畳領域を表示器１０内の左側に表示し、曲がりの継続時間に応じて頁の逆送りを行ってもよい。
【００４７】
あるいは、表示装置１が加速度センサなど表示装置１の傾きを検出するセンサを備え、表示部６０が、そのセンサが検出した表示装置１の傾きに基づいて頁重畳領域の表示位置を変更してもよい。例えば、応力判定部４０が、曲がっていると判定すると、まずは、表示部６０が頁重畳領域を表示器１０内の右側に表示する。その状態から、ユーザが頁の逆戻しを行いたい場合、表示装置１を曲げたまま表示装置１の右側が下になるように表示装置１を傾けると、センサがその傾きを検出し、表示部６０が頁重畳領域の表示を画面の左側に切り替える。すると表示部６０は、曲がりの継続時間に応じて連続的に頁を戻して表示する。
【００４８】
本実施形態によれば、ユーザは、スライド操作を行うことなく筐体を曲げる操作を行うだけで頁送りを実行することができる。
【００４９】
＜他の実施形態＞
上述した第一〜三の実施形態では、表示装置１の筐体が可撓性のある部材で構成されている場合の動作を例として説明を行った。しかし、実施形態はこれに限定されない。筐体が固い部材で構成されていて、ユーザが力を加えても変形しない表示装置１に対しても適用は可能である。例えば、第一の実施形態の場合、ユーザが、表示装置１の左右端を把持し、表示画面をユーザの方向に突き出すように力を加えると、応力検出部２１が、その応力を検出し、検出した物理量を応力判定部４０に出力する。そして、応力判定部４０は、取得した物理量の値が所定の閾値より大きければ、筐体に加わる応力が有ると判定する。そして、表示部６０は、応力判定部４０の判定結果に基づいて、文書コンテンツの現在表示している頁と共に頁重畳領域を表示する。また、頁重畳領域の表示の解除については、応力判定部４０が、応力検出部２１から取得した物理量が基準値よりも小さければ、筐体に加わる応力が無いと判定し、表示部６０は、応力判定部４０の判定結果に基づいて、頁重畳領域を非表示にする。第二及び第三の実施形態についても同様に適用することができる。
【００５０】
なお、上述の表示装置１は内部にコンピュータを有している。そして、上述した表示装置１の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５１】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００５２】
１・・・表示装置
１０・・・表示器
２０・・・入力部
２１・・・応力検出部
３０・・・制御部
４０・・・応力判定部
５０・・・頁送り動作判定部
６０・・・表示部
７０・・・記憶部
８０・・・解除条件判定部
【図１】
2015176543.tif 000003
【図２】
2015176543.tif 000004
【図３】
2015176543.tif 000005
【図４】
2015176543.tif 000006
【図５】
2015176543.tif 000007
【図６】
2015176543.tif 000008
【図７】
2015176543.tif 000009
【図８】
2015176543.tif 000010
【図９】
2015176543.tif 000011
【図１０】
2015176543.tif 000012
【図１１】
2015176543.tif 000013